(57)【要約】【課題】回折フレアの発生を抑制して撮像画像を取得すること。【解決手段】撮像装置１は、撮像光学系２１による被写体像を撮像して、撮像画像を出力する撮像手段３２と、撮像手段３２の撮像範囲の明るさを検出する明るさ検出手段３８と、明るさ検出手段３８の検出結果に基づいて、撮像範囲内に局所的に明るい領域があるか否かを判定する判定手段３８と、判定手段３８により撮像範囲内に局所的に明るい領域があると判定された場合に、推奨絞り値を算出する絞り値算出手段３８と、撮像光学系の絞り値を推奨絞り値に調整する調整手段２３と、を備える。【選択図】図１
2018013794.tif 000002
【特許請求の範囲】
【請求項１】
撮像光学系による被写体像を撮像して、撮像画像を出力する撮像手段と、
前記撮像手段の撮像範囲の明るさを検出する明るさ検出手段と、
前記明るさ検出手段の検出結果に基づいて、前記撮像範囲内に局所的に明るい領域があるか否かを判定する判定手段と、
前記判定手段により前記撮像範囲内に局所的に明るい領域があると判定された場合に、推奨絞り値を算出する絞り値算出手段と、
前記撮像光学系の絞り値を前記推奨絞り値に調整する調整手段と、
を備えることを特徴とする撮像装置。
【発明の詳細な説明】
【技術分野】
【０００１】
本発明は、撮像装置に関する。
【背景技術】
【０００２】
光の回折現象を利用して光の進行方向を変える回折光学素子（ＤＯＥ（Diffractive Optical Element）レンズ）を用いた撮像光学系が知られている。回折光学素子は、負の分散を有し、従来の屈折レンズに対して色収差が逆に発生する。したがって、回折光学素子を用いて撮像光学系を構成することにより、色収差を補正しつつ、撮像光学系の小型化が可能となる。
【０００３】
しかし、回折光学素子を用いた撮像光学系では、極端に強い光が入射した場合、回折現象に起因する色のついたフレアが高輝度領域の付近に生じてしまう。そのため、回折光学素子を用いない従来の撮像光学系による撮像画像と比較して、回折光学素子を用いた撮像光学系による撮像画像は、非常に違和感のある画像となってしまう。そこで、撮像画像に対するデジタル画像処理によって、回折光学素子に起因する色のついたフレア（以下、回折フレアと表記する）を補正する技術が提案されている（特許文献１参照）。
【先行技術文献】
【特許文献】
【０００４】
【特許文献１】特許第３９４４１５１号公報
【発明の概要】
【発明が解決しようとする課題】
【０００５】
しかしながら、実際に発生する回折フレアのパターンが複雑だったり強度が強かったりする場合には、上述した従来技術のデジタル画像処理による補正処理では、満足できる画質が得られない。また、撮像画像に対して回折フレアを十分に補正できていない状態で彩度強調などの処理を行って完成された画像として記録してしまうと、後からの補正処理も困難になってしまう。そのため、撮影時に回折フレアそのものの発生を抑制して撮像画像を取得することが望まれる。
【課題を解決するための手段】
【０００６】
（１）請求項１に記載の撮像装置は、撮像光学系による被写体像を撮像して、撮像画像を出力する撮像手段と、撮像手段の撮像範囲の明るさを検出する明るさ検出手段と、明るさ検出手段の検出結果に基づいて、撮像範囲内に局所的に明るい領域があるか否かを判定する判定手段と、判定手段により撮像範囲内に局所的に明るい領域があると判定された場合に、推奨絞り値を算出する絞り値算出手段と、撮像光学系の絞り値を推奨絞り値に調整する調整手段と、を備えることを特徴とする。
（２）請求項２に記載の撮像装置は、回折光学素子を含む撮像光学系による被写体像を撮像して、撮像画像を出力する撮像手段と、撮像光学系の絞り値を設定する設定手段と、撮像手段の撮像範囲の明るさを検出する明るさ検出手段と、明るさ検出手段の検出結果に基づいて、撮像範囲内に局所的に明るい領域があるか否かを判定する判定手段と、判定手段により撮像範囲内に局所的に明るい領域があると判定された場合に、回折光学素子に起因するフレアの発生を抑制するための推奨絞り値を算出する絞り値算出手段と、絞り値算出手段により算出された推奨絞り値が設定手段により設定された設定絞り値よりも大きい場合に、撮像光学系の絞り値を推奨絞り値に自動調整して撮像手段に撮像を行わせ、撮像画像を取得する画像取得手段と、を備えることを特徴とする。
（３）請求項３に記載の撮像装置は、回折光学素子を含む撮像光学系による被写体像を撮像して、撮像画像を出力する撮像手段と、撮像光学系の絞り値を設定する設定手段と、撮像手段の撮像範囲の明るさを検出する明るさ検出手段と、明るさ検出手段の検出結果に基づいて、撮像範囲内に局所的に明るい領域があるか否かを判定する判定手段と、判定手段により撮像範囲内に局所的に明るい領域があると判定された場合に、撮像光学系が回折光学素子を含むか否かに応じて、回折光学素子に起因するフレアの発生を抑制するための推奨絞り値を算出する絞り値算出手段と、絞り値算出手段により算出された推奨絞り値が設定手段により設定された設定絞り値よりも大きい場合に、撮像光学系の絞り値を設定絞り値に調整した第１状態と推奨絞り値に調整した第２状態のそれぞれで撮像手段に撮像を行わせ、第１状態での撮像画像と第２状態での撮像画像の両方を取得する画像取得手段と、画像取得手段により取得された第１状態での撮像画像と第２状態での撮像画像とを合成する画像合成手段と、を備えることを特徴とする。
（４）請求項４に記載の撮像装置は、回折光学素子を含む撮像光学系による被写体像を撮像して、撮像画像を出力する撮像手段と、撮像光学系の絞り値を設定する設定手段と、撮像手段の撮像範囲の明るさを検出する明るさ検出手段と、明るさ検出手段の検出結果に基づいて、撮像範囲内に局所的に明るい領域があるか否かを判定する判定手段と、判定手段により撮像範囲内に局所的に明るい領域があると判定された場合に、回折光学素子に起因するフレアの発生を抑制するための推奨絞り値を算出する絞り値算出手段と、絞り値算出手段により算出された推奨絞り値が設定手段により設定された設定絞り値よりも大きい場合に、推奨絞り値または警告を報知する情報を表示手段に表示する表示制御手段と、を備えることを特徴とする。
【発明の効果】
【０００７】
本発明によれば、回折フレアの発生を抑制して撮像画像を取得することができる。
【図面の簡単な説明】
【０００８】
【図１】本発明の一実施の形態によるデジタルカメラの構成を示すブロック図である。
【図２】第１の実施形態における撮影処理の流れを説明するフローチャートである。
【図３】第２の実施形態における撮影処理の流れを説明するフローチャートである。
【図４】第３の実施形態における撮影処理の流れを説明するフローチャートである。
【発明を実施するための形態】
【０００９】
−第１の実施形態−
図面を参照して本発明の第１の実施形態について説明する。図１は、第１の実施形態に係る撮像装置であるデジタルカメラ１の構成を示すブロック図である。デジタルカメラ１は、一眼レフカメラであって、交換レンズ２とカメラボディ３とを備える。デジタルカメラ１の交換レンズ２は不図示のマウント部によりカメラボディ３に交換可能に装着される。
【００１０】
交換レンズ２は、フォーカシング用レンズやズーミング用レンズを含む撮像光学系２１と、絞り２２と、レンズ側制御装置２３とを備える。レンズ側制御装置２３は、ＣＰＵやＲＡＭ、ＲＯＭなどを有する。レンズ側制御装置２３は、撮像光学系２１や絞り２２の駆動制御や、後述するカメラボディ３のボディ側制御装置３８へのレンズ情報の送信などの処理を行う。
【００１１】
カメラボディ３は、クイックリターンミラー３０と、シャッター３１と、撮像素子３２と、ファインダスクリーン３３と、ペンタプリズム３４と、再結像光学系３５と、測光センサ３６と、接眼レンズ３７と、ボディ側制御装置３８と、表示部３９と、操作部材４０と、記録媒体４１とを備える。
【００１２】
被写体からの光束は、撮像光学系２１を介してカメラボディ３へ入射される。クイックリターンミラー３０が図示位置にあるときは、カメラボディ３へ入射した被写体光束は、クイックリターンミラー３０に反射され、ファインダスクリーン３３の拡散面に結像する。ファインダスクリーン３３を透過した光束は、ペンタプリズム３４に入射する。ペンタプリズム３４にファインダ光学系光軸３４１に沿って入射した被写体光束は、ペンタプリズム３４により接眼レンズ３７へ導かれる。ペンタプリズム３４に測光光学系光軸３４２に沿って入射した被写体光束は、ペンタプリズム３４により再結像光学系３５へ導かれる。再結像光学系３５は、再結像レンズを有し、測光光学系光軸３４２に沿って入射した被写体光束を測光センサ３６の受光面３６ａに再結像させる。クイックリターンミラー３０が退避状態にあり、シャッター３１が開放状態にあるときはカメラボディ３へ入射した被写体光束は撮像素子３２へ導かれる。
【００１３】
撮像素子３２および測光センサ３６は、それらの受光面に二次元状に画素が配列されている。各画素は、赤（Ｒ）、緑（Ｇ）、または青（Ｂ）のカラーフィルタを有しており、ベイヤ配列に基づいて受光面に配列されている。各画素は、被写体光束を受光すると、電荷が蓄積され、蓄積された電荷はボディ側制御装置３８によりカラー画像信号として読み出される。
【００１４】
ボディ側制御装置３８はＣＰＵやＲＡＭ、ＲＯＭなどを有し、カメラボディ３の各部位を制御して各種処理を実行する。表示部３９は、カメラボディ３の背面に搭載された液晶モニタであって、各種メニュー画面や撮像画像の再生表示を行う。操作部材４０は、レリーズボタンや電源ボタン、モード切替ボタンなどである。記録媒体４１は、メモリーカードなどの着脱可能な記録媒体であって、撮像素子３２による撮像画像などを記録する。
【００１５】
ところで、撮像光学系２１が回折光学素子を含む場合、撮像光学系２１に強い光が入射した場合には、回折フレア（回折光学素子に起因する色のついたフレア）が生じてしまう。しかしながら、回折フレアの発生強度および発生領域は、撮像光学系２１の絞り値によって大きく変化する。撮像光学系２１の絞り２２を絞りこむほど（すなわち絞り値を大きくするほど）、回折フレアの発生量が低下する。本実施形態ではこのことを利用し、回折フレアの発生を抑制するように絞り値を調整して撮影を行うようにした。
【００１６】
以下、本実施形態のデジタルカメラ１が実行する撮影処理について、図２のフローチャートを用いて説明する。ボディ側制御装置３８は、操作部材４０の操作に応じて撮影モードに設定されると、図２に示す処理を開始する。
【００１７】
ステップＳ１０１において、ユーザが操作部材４０により絞り値を設定する操作を行うと、カメラボディ３のボディ側制御装置３８は、操作部材４０からの操作信号に応じて絞り値を設定する。ここで設定される絞り値を、以下、設定絞り値と表記する。ボディ側制御装置３８は、設定絞り値の情報を交換レンズ２のレンズ側制御装置２３に送信する。レンズ側制御装置２３は、ボディ側制御装置３８から送信された設定絞り値となるように撮像光学系２１の絞り値を調整する。
【００１８】
ステップＳ１０２において、ボディ側制御装置３８は、交換レンズ２の撮像光学系２１に回折光学素子が含まれるか否かを判定する。ここでレンズ側制御装置２３は、撮像光学系２１に回折光学素子が含まれるか否かを示すレンズ情報をボディ側制御装置３８に送信する。ボディ側制御装置３８は、このレンズ情報に基づいて上記判定を行う。
【００１９】
撮像光学系２１に回折光学素子が含まれない場合には、回折フレアが発生しない。この場合には、ボディ側制御装置３８は、ステップＳ１０２を否定判定してステップＳ１１０に進み、設定絞り値のままの状態で、レリーズボタンの押下に応じて撮像素子３２に撮像を行わせて撮像画像を取得し、記録媒体４１に記録する。一方、撮像光学系２１に回折光学素子が含まれる場合には、ボディ側制御装置３８は、ステップＳ１０２を肯定判定してステップＳ１０３に進む。
【００２０】
ステップＳ１０３において、ボディ側制御装置３８は、測光センサ３６からの出力信号に基づいて、撮像素子３２の撮像範囲の明るさを検出し、領域ごとの相対的な明るさの強度比を求める。領域ごとの相対的な明るさの強度比については、たとえば被写体とその背景領域との明るさを比較する。
【００２１】
ステップＳ１０４において、ボディ側制御装置３８は、ステップＳ１０３の検出結果に基づいて、撮像範囲内に局所的に明るい領域があるか否かを判定する。ここで、局所的に明るい領域とは、回折フレアが撮像画像中で目立つ強度で発生する程度に明るい領域である。撮像範囲内に局所的に明るい領域が存在しない場合には、回折フレアが発生しない、あるいは回折フレアが発生しても撮像画像中で目立たない。この場合には、ボディ側制御装置３８は、ステップＳ１０４を否定判定してステップＳ１１０に進み、設定絞り値のままの状態で、レリーズボタンの押下に応じて撮像素子３２に撮像を行わせて撮像画像を取得し、記録媒体４１に記録する。一方、撮像範囲内に局所的に明るい領域がある場合には、ボディ側制御装置３８は、ステップＳ１０４を肯定判定して、ステップＳ１０５に進む。
【００２２】
ステップＳ１０５において、ボディ側制御装置３８は、測光センサ３６からの出力信号に基づいて自動露出演算を行い、設定絞り値に対して適正露出となるようにシャッタースピードを調整する露出制御を行う。このとき、ボディ側制御装置３８は、露出を合わせる被写体から局所的に明るい領域を除いて自動露出演算を行う。
【００２３】
ステップＳ１０６において、ボディ側制御装置３８は、回折フレアの発生を抑制するための推奨絞り値を算出する。なお、回折光学素子の特性は、回折フレアの発生量に影響を与え、局所的に明るい領域とその周囲領域との明るさの比は、回折フレアの撮像画像中での目立ち度合いに影響を与える。そのため、ボディ側制御装置３８は、回折フレアを十分に抑制可能な推奨絞り値を、撮像光学系２１の種類および局所的に明るい領域とその周囲領域との明るさの比に基づいて算出する。
【００２４】
たとえば、交換レンズ２の不図示のメモリに、撮像光学系２１に含まれる回折光学素子の特性に基づいて作成された計算式をレンズ情報として記憶させておく。この計算式は、局所的に明るい領域とその周囲領域との明るさの比を代入することで、推奨絞り値を算出できるように作成される。レンズ側制御装置２３は、ボディ側制御装置３８からの要求に応じて、上記計算式をボディ側制御装置３８に送信する。ボディ側制御装置３８は、ステップＳ１０３の算出結果から局所的に明るい領域とその周囲領域との明るさの比を求め、レンズ側制御装置２３から受信した上記計算式に代入することで、推奨絞り値を算出する。
【００２５】
なお、推奨絞り値を求めるために計算式を用いるのではなく、たとえば、局所的に明るい領域とその周囲領域との明るさの比と推奨絞り値とを対応付けたテーブルを用いるようにしてもよい。
【００２６】
ステップＳ１０７において、ボディ側制御装置３８は、ステップＳ１０１で設定した設定絞り値と、ステップＳ１０６で算出した推奨絞り値とを比較し、推奨絞り値の方が設定絞り値よりも大きいか否かを判定する。設定絞り値の方が推奨絞り値よりも大きい場合には、設定絞り値のままでも回折フレアの発生を抑制することができる。この場合には、ボディ側制御装置３８は、ステップＳ１０７を否定判定してステップＳ１１０に進み、設定絞り値のままの状態で、レリーズボタンの押下に応じて撮像素子３２に撮像を行わせて撮像画像を取得し、記録媒体４１に記録する。一方、推奨絞り値の方が設定絞り値よりも大きい場合には、設定絞り値のままでは回折フレアの発生を抑制することができない。この場合には、ボディ側制御装置３８は、ステップＳ１０７を肯定判定してステップＳ１０８に進む。
【００２７】
ステップＳ１０８において、ボディ側制御装置３８は、撮像光学系２１の絞り値を推奨絞り値に変更するようレンズ側制御装置２３に指示を送信する。レンズ側制御装置２３は、この指示に応じて、推奨絞り値となるように撮像光学系２１の絞り値を調整する。
【００２８】
ステップＳ１０９において、ボディ側制御装置３８は、撮像光学系２１が推奨絞り値である状態での露出が、ステップＳ１０５で算出した露出（設定絞り値である状態での露出）と同じになるようにシャッタースピードを調整する。このとき、ボディ側制御装置３８は、露出を合わせる被写体から局所的に明るい領域を除いて露出を調整する。これにより、撮像光学系２１が推奨絞り値である状態で取得する撮像画像において、設定絞り値である状態で取得される撮像画像と比較して、被写体の明るさが変わらないようにできる。
【００２９】
ステップＳ１０９から進むステップＳ１１０において、ボディ側制御装置３８は、推奨絞り値の状態で、レリーズボタンの押下に応じて撮像素子３２に撮像を行わせて撮像画像を取得し、記録媒体４１に記録する。この結果、回折フレアの発生を抑制した撮像画像を取得することができる。
【００３０】
以上説明した実施の形態によれば、次の作用効果が得られる。
デジタルカメラ１において、ボディ側制御装置３８は、撮像範囲内に局所的に明るい領域があるか否かを判定し、局所的に明るい領域があると判定された場合に、撮像光学系２１の回折光学素子に起因するフレアの発生を抑制するための推奨絞り値を算出する。そして、ボディ側制御装置３８は、推奨絞り値が設定絞り値よりも大きい場合に、撮像光学系２１の絞り値を推奨絞り値に自動調整して撮像素子３２に撮像を行わせ、撮像画像を取得するようにした。こうすることにより、回折フレアの発生を抑制して、撮像画像を取得することができる。
【００３１】
−第２の実施形態−
次に、図面を参照して本発明の第２の実施形態について説明する。なお、第２の実施形態におけるデジタルカメラ１の構成は、第１の実施形態におけるデジタルカメラ１の構成と同じであるため、同一の符号を付し、説明を省略する。第２の実施形態では、設定絞り値の状態で撮像した撮像画像と推奨絞り値の状態で撮像した撮像画像とを合成することで、フレア領域を除去した画像を生成する点が、第１の実施形態と異なっている。
【００３２】
以下、第２の実施形態のデジタルカメラ１が実行する撮影処理について、図３のフローチャートを用いて説明する。ボディ側制御装置３８は、操作部材４０の操作に応じて撮影モードに設定されると、図３に示す処理を開始する。
【００３３】
ステップＳ２０１において、ボディ側制御装置３８は、上述したステップＳ１０１と同様に、ユーザの操作に応じて絞り値を設定し、撮像光学系２１の絞り値を設定絞り値に調整する。
【００３４】
ステップＳ２０２において、ボディ側制御装置３８は、設定絞り値のままの状態で、レリーズボタンの押下に応じて撮像素子３２に撮像を行わせ、撮像画像を取得する。
【００３５】
ステップＳ２０３において、ボディ側制御装置３８は、上述したステップＳ１０２と同様に、撮像光学系２１に回折光学素子が含まれるか否かを判定する。ボディ側制御装置３８は、撮像光学系２１に回折光学素子が含まれない場合には、ステップＳ２０３を否定判定し、ステップＳ２０２で取得した撮像画像を記録媒体４１に記録して、撮影処理を終了する。一方、ボディ側制御装置３８は、撮像光学系２１に回折光学素子が含まれる場合には、ステップＳ２０３を肯定判定してステップＳ２０４に進む。
【００３６】
ステップＳ２０４において、ボディ側制御装置３８は、上述したステップＳ１０３と同様に、測光センサ３６からの出力信号に基づいて撮像範囲の明るさを検出する。
【００３７】
ステップＳ２０５において、ボディ側制御装置３８は、上述したステップＳ１０４と同様に、撮像範囲内に局所的に明るい領域があるか否かを判定する。撮像範囲内に局所的に明るい領域が存在しない場合には、ボディ側制御装置３８は、ステップＳ２０５を否定判定し、ステップＳ２０２で取得した撮像画像を記録媒体４１に記録して、撮影処理を終了する。一方、撮像範囲内に局所的に明るい領域がある場合には、ボディ側制御装置３８は、ステップＳ２０５を肯定判定して、ステップＳ２０６に進む。
【００３８】
ステップＳ２０６において、ボディ側制御装置３８は、上述したステップＳ１０６と同様に、回折フレアの発生を抑制するための推奨絞り値を算出する。
【００３９】
ステップＳ２０７において、ボディ側制御装置３８は、上述したステップＳ１０７と同様に、ステップＳ２０１で設定した設定絞り値と、ステップＳ２０６で算出した推奨絞り値とを比較し、推奨絞り値の方が設定絞り値よりも大きいか否かを判定する。設定絞り値の方が推奨絞り値よりも大きい場合には、ボディ側制御装置３８は、ステップＳ２０７を否定判定し、ステップＳ２０２で取得した撮像画像を記録媒体４１に記録して、撮影処理を終了する。一方、推奨絞り値の方が設定絞り値よりも大きい場合には、ボディ側制御装置３８は、ステップＳ２０７を肯定判定してステップＳ２０８に進む。
【００４０】
ステップＳ２０８において、ボディ側制御装置３８は、上述したステップＳ１０８と同様に、撮像光学系２１の絞り値を推奨絞り値に調整する。
【００４１】
ステップＳ２０９において、ボディ側制御装置３８は、撮像光学系２１が推奨絞り値である状態での露出が、設定絞り値である状態での露出と同じになるようにシャッタースピードを調整する。このとき、ボディ側制御装置３８は、露出を合わせる被写体から局所的に明るい領域を除いて露出を調整する。これにより、撮像光学系２１が推奨絞り値である状態で取得する撮像画像において、設定絞り値である状態で取得する撮像画像と比較して、被写体の明るさが変わらないようにできる。
【００４２】
ステップＳ２１０において、ボディ側制御装置３８は、推奨絞り値の状態で、撮像素子３２に撮像を行わせて撮像画像を取得する。なお、ステップＳ２１０での撮像は、ステップＳ２０２での撮像から極力タイムラグが生じないよう、ステップＳ２０２での撮像から連続して行われる。
【００４３】
ステップＳ２１１において、ボディ側制御装置３８は、ステップＳ２０２で取得した撮像画像およびステップＳ２１０で取得した撮像画像において、回折フレアが発生している領域（フレア領域）を推測して決定する。フレア領域を決定する方法としては、以下に説明する第１の決定方法または第２の決定方法のいずれを用いてもよい。
【００４４】
まず、第１の決定方法について説明する。回折フレアは、局所的に明るい領域を中心として略円形状に発生すると推測される。そこで、第１の決定方法では、ボディ側制御装置３８は、ステップＳ２０５で検出された局所的に明るい領域を中心とした円形またはこれに準ずる形状でなる領域をフレア領域として決定する。また、回折フレアの大きさは、撮像光学系２１に含まれる回折光学素子の特性および撮像範囲の大きさ（すなわち画角）によって変化する。そこで、ボディ側制御装置３８は、レンズ側制御装置２３から送信されたレンズ情報に含まれる撮像光学系２１の種類および焦点距離に応じて、フレア領域の大きさを決定する。
【００４５】
次に、第２の決定方法について説明する。回折フレアは色のついたフレアであるため、回折フレアが発生している設定絞り値での撮像画像と回折フレアの発生が抑制された推奨絞り値での撮像画像とでは、フレア領域において色情報の差分（すなわち色差）が大きく、その他の領域では色差が小さいことが推測される。そこで、第２の決定方法では、ステップＳ２０２で取得した設定絞り値での撮像画像とステップＳ２１０で取得した推奨絞り値での撮像画像とを比較し、色情報の差分（すなわち色差）が所定の閾値以上大きい領域を検出し、この領域をフレア領域として決定する。
【００４６】
ステップＳ２１２において、ボディ側制御装置３８は、ステップＳ２０２で取得した設定絞り値での撮像画像とステップＳ２１０で取得した推奨絞り値での撮像画像とを合成することでフレア領域を除去した画像を生成し、記録媒体４１に記録する。このとき、ボディ側制御装置３８は、ステップＳ２１１で決定したフレア領域については推奨絞り値での撮像画像に重きを置き、当該フレア領域以外の領域については設定絞り値での撮像画像に重きを置いて合成する。具体的には、ボディ側制御装置３８は、設定絞り値での撮像画像からはフレア領域の部分を取り除き、推奨絞り値での撮像画像からはフレア領域の部分を抜き出す。そして、ボディ側制御装置３８は、推奨絞り値での撮像画像から抜き出したフレア領域の部分を、設定絞り値での撮像画像においてフレア領域が取り除かれた部分に嵌めこむ。このときボディ側制御装置３８は、推奨絞り値の状態での撮像画像と設定絞り値の状態での撮像画像との境界部分（フレア領域の境界部分）が不自然にならないように、グラデーションをつける。
【００４７】
このような処理の結果、回折フレアがもともと発生していない領域についてはユーザの意図するボケ味であり、局所的に明るい領域の周辺（すなわち光源付近）は回折フレアの発生を抑制した撮像画像を取得することができる。
【００４８】
以上説明した実施の形態によれば、次の作用効果が得られる。
デジタルカメラ１において、ボディ側制御装置３８は、撮像範囲内に局所的に明るい領域があるか否かを判定し、局所的に明るい領域があると判定された場合に、撮像光学系２１の回折光学素子に起因するフレアの発生を抑制するための推奨絞り値を算出する。そして、ボディ側制御装置３８は、推奨絞り値が設定絞り値よりも大きい場合に、撮像光学系２１の絞り値を設定絞り値に調整した状態と推奨絞り値に調整した状態のそれぞれで撮像画像を取得し、これらの撮像画像を合成するようにした。こうすることにより、回折フレアがもともと発生しない領域についてはユーザの意図する設定絞り値での画像であり、設定絞り値では回折フレアが発生する領域については回折フレアの発生を抑制した画像を、取得することができる。
【００４９】
−第３の実施形態−
次に、図面を参照して本発明の第３の実施形態について説明する。なお、第３の実施形態におけるデジタルカメラ１の構成は、第１の実施形態におけるデジタルカメラ１の構成と同じであるため、同一の符号を付し、説明を省略する。第３の実施形態では、ユーザに対して推奨絞り値または回折フレアの発生を報知する点が、第１および第２の実施形態と異なっている。なお、回折フレアの発生はファインダでも確認することができるが、撮影により取得される画像は画像処理の影響を受けるため、ファインダで確認される画像よりも回折フレアが目立つ場合がある。そこで、本実施形態では、撮影時にユーザに対して推奨絞り値または回折フレアの発生を報知することで、ユーザがファインダでは確認できない回折フレアについても発生を抑制して撮影を行うことができる。
【００５０】
以下、第３の実施形態のデジタルカメラ１が実行する撮影処理について、図４のフローチャートを用いて説明する。ボディ側制御装置３８は、操作部材４０の操作に応じて撮影モードに設定されると、図４に示す処理を開始する。
【００５１】
ステップＳ３０１において、ボディ側制御装置３８は、上述したステップＳ１０１と同様に、ユーザの操作に応じて絞り値を設定し、撮像光学系２１の絞り値を設定絞り値に調整する。
【００５２】
ステップＳ３０２において、ボディ側制御装置３８は、上述したステップＳ１０２と同様に、撮像光学系２１に回折光学素子が含まれるか否かを判定する。撮像光学系２１に回折光学素子が含まれない場合には、ボディ側制御装置３８は、ステップＳ３０２を否定判定してステップＳ３１１に進む。一方、撮像光学系２１に回折光学素子が含まれる場合には、ボディ側制御装置３８は、ステップＳ３０２を肯定判定してステップＳ３０３に進む。
【００５３】
ステップＳ３０３において、ボディ側制御装置３８は、上述したステップＳ１０３と同様に、測光センサ３６からの出力信号に基づいて撮像範囲の明るさを検出する。
【００５４】
ステップＳ３０４において、ボディ側制御装置３８は、上述したステップＳ１０４と同様に、撮像範囲内に局所的に明るい領域があるか否かを判定する。撮像範囲内に局所的に明るい領域が存在しない場合には、ボディ側制御装置３８は、ステップＳ３０４を否定判定してステップＳ３１１に進む。一方、撮像範囲内に局所的に明るい領域がある場合には、ボディ側制御装置３８は、ステップＳ３０４を肯定判定して、ステップＳ３０５に進む。
【００５５】
ステップＳ３０５において、ボディ側制御装置３８は、上述したステップＳ１０５と同様に、露出を合わせる被写体領域から局所的に明るい領域を除いて自動露出演算を行い、設定絞り値に対して適正露出となるようにシャッタースピードを調整する。
【００５６】
ステップＳ３０６において、ボディ側制御装置３８は、上述したステップＳ１０６と同様に、回折フレアの発生を抑制するための推奨絞り値を算出する。
【００５７】
ステップＳ３０７において、ボディ側制御装置３８は、上述したステップＳ１０７と同様に、ステップＳ３０１で設定した設定絞り値と、ステップＳ３０６で算出した推奨絞り値とを比較し、推奨絞り値の方が設定絞り値よりも大きいか否かを判定する。設定絞り値の方が推奨絞り値よりも大きい場合には、ボディ側制御装置３８は、ステップＳ３０７を否定判定してステップＳ３１１に進む。一方、推奨絞り値の方が設定絞り値よりも大きい場合には、ボディ側制御装置３８は、ステップＳ３０７を肯定判定してステップＳ３０８に進む。
【００５８】
ステップＳ３０８において、ボディ側制御装置３８は、ステップＳ３０６で算出した推奨絞り値または回折フレアが発生している旨の警告を報知する情報を、ファインダまたは表示部３９（背面モニタ）に表示する。これにより、ユーザは回折フレアが発生していることを認識でき、撮影後に画像を確認して初めて回折フレアが発生していたことに気付くという事態を防止することができる。ここで、ユーザは、推奨絞り値または回折フレアが発生している旨の警告を報知する情報を確認し、回折フレアを抑制したい場合には、操作部材４０により設定絞り値を変更する操作を行う。
【００５９】
ステップＳ３０９において、ボディ側制御装置３８は、ユーザの操作により設定絞り値が変更されたか否かを判定する。ボディ側制御装置３８は、設定絞り値が変更された場合にはステップＳ３０９を肯定判定してステップＳ３１０に進み、設定絞り値が変更されない場合にはステップＳ３０９を否定判定してステップＳ３１１に進む。
【００６０】
ステップＳ３１０において、ボディ側制御装置３８は、絞り値変更後の露出が、ステップＳ３０５で算出した絞り値変更前の露出と同じになるようにシャッタースピードを調整する。このとき、ボディ側制御装置３８は、露出を合わせる被写体から局所的に明るい領域を除いて露出を調整する。これにより、変更後の絞り値の状態で取得する撮像画像において、変更前の絞り値の状態で取得される撮像画像と比較して、被写体の明るさが変わらないようにできる。
【００６１】
ステップＳ３１１において、ボディ側制御装置３８は、レリーズボタンの押下に応じて撮像素子３２に撮像を行わせて撮像画像を取得し、記録媒体４１に記録する。
【００６２】
以上説明した実施の形態によれば、次の作用効果が得られる。
デジタルカメラ１において、ボディ側制御装置３８は、撮像範囲内に局所的に明るい領域があるか否かを判定し、局所的に明るい領域があると判定された場合に、撮像光学系２１の回折光学素子に起因するフレアの発生を抑制するための推奨絞り値を算出する。そして、ボディ側制御装置３８は、推奨絞り値が設定絞り値よりも大きい場合に、推奨絞り値または警告を報知する情報を表示部３９に表示するようにした。こうすることにより、ユーザが回折フレアが発生することを認識でき、回折フレアの発生を抑えるために絞り値を変更することができるので、回折フレアの発生を抑制した撮像画像を取得することができる。
【００６３】
（変形例１）
上述した実施の形態では、ボディ側制御装置３８は、ユーザによる操作部材４０の操作に応じて、撮像光学系２１の絞り値を設定する例について説明した。しかしながら、ボディ側制御装置３８は、測光センサ３６からの出力信号に基づいて自動露出演算を行い、その演算結果に応じて、撮像光学系２１の絞り値を自動で設定するようにしてもよい。
【００６４】
（変形例２）
上述した実施の形態では、設定された絞り値に対して適正露出となるようにシャッタースピードを調整して露出を制御する例について説明したが、撮像素子３２のゲイン（感度）を調整して露出を制御するようにしてもよい。
【００６５】
（変形例３）
上述した実施の形態では、一眼レフカメラに対して本発明を適用する例について説明したが、これに限らなくてよい。たとえば、電子ビューファインダを有するレンズ交換式のカメラや、コンパクトカメラに適用するようにしてもよい。撮像光学系が回折光学素子を含み、且つ撮像光学系が交換可能ではないカメラの場合には、上述した処理において回折光学素子を含むか否かの判定を行わずに、推奨絞り値を算出すればよい。
【００６６】
上記では、種々の実施の形態および変形例を説明したが、本発明はこれらの内容に限定されるものではない。本発明の技術的思想の範囲内で考えられるその他の態様も本発明の範囲内に含まれる。
【符号の説明】
【００６７】
１…デジタルカメラ、２…交換レンズ、３…カメラボディ、２１…撮像光学系、２２…絞り、２３…レンズ側制御装置、３２…撮像素子、３６…測光センサ、３８…ボディ側制御装置、４０…操作部材、４１…記録媒体
【図１】
2018013794.tif 000003
【図２】
2018013794.tif 000004
【図３】
2018013794.tif 000005
【図４】
2018013794.tif 000006